(57)【要約】  【課題】  ブレスレットにおいて、特別加工製作をする必要がなく、手首への装着及び取り外しが容易になると共に、装着した後外れ難く紛失防止が確実になるし、しかも、低コストで外観を良好にする。  【解決手段】  ブレスレット本体２の一端部に一方の連結体４を、他端部に他方の連結体５をそれぞれ回動自在に連結し、一方の連結体４に外側係止突起部９と内側係止突起部１０を突設し、他方の連結体５に挿入用開口部１３を形成して、この挿入用開口部１３の辺部１３ａに設けた切欠き部１４に係止溝部１６を形成し、且つ、ブレスレット本体２に、挿入穴部８Ａと係止穴部８Ｂを有する本体側係止部８を形成し、一方の連結体４を挿入用開口部１３に挿入して内側係止突起部１０を挿入穴部８Ａから係止穴部８Ｂに挿入係止し、且つ、外側係止突起部９を係止溝部１６に係止するようにした。【選択図】  図３
2007044181.tif 000002
【特許請求の範囲】
【請求項１】
人の手首に着脱可能に嵌合されるブレスレット本体の一端部に一方の連結体を回動自在に連結し、前記ブレスレット本体の他端部に他方の連結体を回動自在に連結し、前記一方の連結体を前記ブレスレット本体及び前記他方の連結体に連結することによって環状に構成されるブレスレットであって、
前記一方の連結体の基端部の外面部に外側係止突起部を突設すると共に、前記一方の連結体の先端部の内面部に内側係止突起部を突設し、
前記他方の連結体の基端部側に挿入用開口部を形成して、この挿入用開口部の前記基端部側とは反対側の辺部に切欠き部を形成し、この切欠き部に係止溝部を形成し、且つ、前記ブレスレット本体に本体側係止部を形成し、
前記一方の連結体を前記挿入用開口部に挿入して前記内側係止突起部を前記本体側係止部に挿入係止し、且つ、前記外側係止突起部を前記係止溝部に係止するようにしたことを特徴とするブレスレット。
【請求項２】
前記挿入用開口部の前記辺部に前記切欠き部を形成することにより、前記辺部の両側に、当該辺部の残部からなって、前記一方の連結体を押える押え部を形成するようにしたことを特徴とする請求項１に記載のブレスレット。
【請求項３】
前記外側係止突起部及び前記内側係止突起部は、係止棹部の先端部に、当該係止棹部より大径の引っ掛かり部を形成して構成してあり、前記本体側係止部は、前記引っ掛かり部が挿入される挿入穴部と、この挿入穴部に連なる長穴形状であって前記係止棹部が挿入係止される係止穴部とで構成してあり、
前記一方の連結体を前記挿入用開口部に挿入し、前記ブレスレット本体を押圧し圧縮して前記一方の連結体を移動させ、前記内側係止突起部の前記引っ掛かり部を前記挿入穴部に挿入し、前記押圧を解除することで前記ブレスレット本体の圧縮反力で前記一方の連結体を引き戻して前記内側係止突起部の前記係止棹部を前記係止穴部に挿入係止し、且つ、前記一方の連結体の戻りにより、前記外側係止突起部の前記係止棹部を前記係止溝部に係止するようにしたことを特徴とする請求項１又は請求項２に記載のブレスレット。
【請求項４】
前記ブレスレット本体は、短冊状の薄板を、前記手首に嵌るように側面視で略Ｃ字形状に湾曲してあり、前記一方の連結体は、前記ブレスレット本体と同じ材質の薄板を短冊状に形成し、その幅寸法を前記ブレスレット本体と同じにしてあり、前記他方の連結体は、前記ブレスレット本体と同じ材質の薄板を短冊状に形成し、その幅寸法を前記ブレスレット本体より大きくしてあり、且つ前記一方の連結体と前記他方の連結体とは、前記手首の表面に沿うように湾曲してあることを特徴とする請求項１乃至請求項３のうちの何れかの一に記載のブレスレット。
【発明の詳細な説明】
【技術分野】
【０００１】
本発明は、手首への装着及び手首からの取り外しを容易にすると共に、装着状態を強固なものにしたブレスレットに関する。
【背景技術】
【０００２】
ブレスレットとしての商品加工製作に大切なことは、使用しやすいこと、すなわち、手首に装着し易く、且つ取り外し易いこと、外観がよいこと（見た目のスマートさ）、手首に装着した後外れ難く紛失防止が確実なこと、低コストであることである。
【０００３】
上記した条件を全て解決する上で、なお、大切なことは、止め具、すなわち、繋ぎ部の金具をどうするかという点であり、この止め具が複雑であると特別加工製作をする必要がある。当然、これがコストに跳ね返る。また、ブレスレットが丈夫であり、且つ、形が崩れないことを防止するためには、厚みのある板地金を必要としていたし、板地金を薄くすれば、円形保持状態が悪く、手首に装着した後外れ易く紛失し易いという問題を起こすことになる。また、止め金具の部品点数、板地金の使用量も重要課題であった。
【０００４】
従来のブレスレットとしては、図９及び図１０に示すように、所定長さのブレスレット本体３０の一端に回動自在に連結され、且つ、弾性を有する線状物を細長い環状に形成された止め枠３２と、ブレスレット本体３０の他端に回動自在に連結され、且つ、弾性を有する線状物で嵌合部３３ａが形成された裏側止め具３３と、止め枠３２と裏側止め具３３との間に回動自在に連結された表板３１とから構成し、止め枠３２は表板３１に対して表板３１の側面において弾性的に係合し、また、表板３１の裏面に形成されたボール３１ａを裏側止め具３３の嵌合部３３ａに係合することにより三折れ金具（止め枠３２と裏側止め具３３と表板３１）を一体に固定できるようにしたものがある（特許文献１参照）。
【特許文献１】特開２００１−２５２１１０号公報
【発明の開示】
【発明が解決しようとする課題】
【０００５】
しかしながら、上記した従来のブレスレットにあっては、その止め具が三折れ金具で構成してあり、ブレスレット本体３０の他に、止め枠３２と裏側止め具３３と表板３１とが必要であって、部品点数が多く、特別加工製作をする必要がある。当然、これがコストに跳ね返り、コスト高になるという問題点があった。
【０００６】
また、三折れ金具の固定は、止め枠３２は表板３１に対して表板３１の側面において弾性的に係合し、表板３１の裏面のボール３１ａを裏側止め具３３の嵌合部３３ａに係合することにより行なわれるものであり、このように、止め枠３２を表板３１の側面において弾性的に係合させる構成、及びボール３１ａを嵌合部３３ａに係合する構成では、ブレスレットの長期の使用により係合部分が摩耗して、係合の信頼度が低下して、ブレスレットを手首に装着した後外れ易く紛失し易いという問題を起こすことになる。
【０００７】
本発明は上記した問題点を解決するものであり、その目的とするところは、特別加工製作をする必要がなく、手首への装着及び取り外しが容易になると共に、装着した後外れ難く紛失防止が確実になるし、しかも、低コストで外観が良好になるブレスレットを提供することである。
【課題を解決するための手段】
【０００８】
上記の目的を達成するために、本発明に係るブレスレットは、人の手首に着脱可能に嵌合されるブレスレット本体の一端部に一方の連結体を回動自在に連結し、ブレスレット本体の他端部に他方の連結体を回動自在に連結し、一方の連結体をブレスレット本体及び他方の連結体に連結することによって環状に構成されるブレスレットであって、一方の連結体の基端部の外面部に外側係止突起部を突設すると共に、一方の連結体の先端部の内面部に内側係止突起部を突設し、他方の連結体の基端部側に挿入用開口部を形成して、この挿入用開口部の基端部側とは反対側の辺部に切欠き部を形成し、この切欠き部に係止溝部を形成し、且つ、ブレスレット本体に本体側係止部を形成し、一方の連結体を挿入用開口部に挿入して内側係止突起部を本体側係止部に挿入係止し、且つ、外側係止突起部を係止溝部に係止するようにしたことを特徴とする。
【０００９】
かかる構成により、ブレスレットにあっては、その止め具が一方の連結体と他方の連結体とで構成してあり、止め具が三折れ金具で構成してある従来のブレスレットに比べて特別加工製作をする必要がない。このために、ブレスレットの低コスト化が可能になる。
【００１０】
また、一方及び他方の連結体を開いた状態（一方及び他方の連結体を外方に回動した状態）でブレスレットを手首に通した後、一方及び他方の連結体を閉じるようにして、一方の連結体を挿入用開口部に挿入し、ブレスレット本体を押圧し圧縮して一方の連結体を移動させ、内側係止突起部を本体側係止部に挿入し、押圧を解除することでブレスレット本体の圧縮反力で一方の連結体を引き戻して内側係止突起部を本体側係止部に係止し、且つ一方の連結体の戻りにより、外側係止突起部を係止溝部に係止することで、ブレスレットを手首に装着することができるし、また、ブレスレット本体を、再び押圧し圧縮して一方の連結体を移動させ、内側係止突起部の本体側係止部への係止を解除し、且つ、外側係止突起部の係止溝部への係止を解除して、一方及び他方の連結体を開いて、一方の連結体を挿入用開口部から抜くことで、ブレスレットを手首から外すことができる。
【００１１】
このように、ブレスレットが手首に装着し易く、且つ取り外し易くなるし、また、手首に装着した後外れ難く紛失防止が確実になる。しかも、ブレスレットを手首に装着した際に、一方の連結体を挿入用開口部に挿入するようにして一方の連結体が他方の連結体に重なり合うようになって、止め具（一方の連結体と他方の連結体）がブレスレット本体と一体化するために、ブレスレットの外観が良好になって見た目のスマートさが発揮される。
【００１２】
しかも、上記したように、一方の連結体を他方の連結体及びブレスレット本体に連結することによって環状に構成してあるために、ブレスレットの形が崩れるのを防止することができる。このように、ブレスレットの形が崩れないために、この崩れを防止するため厚みのある板地金を必要とすることなく、ブレスレット本体の板地金を薄くして板地金の使用量を少なくすることができて、低コスト化が可能になる。
【００１３】
また、本発明に係るブレスレットは、上記した本発明に係るブレスレットにおいて、挿入用開口部の辺部に切欠き部を形成することにより、辺部の両側に、当該辺部の残部からなって、一方の連結体を押える押え部を形成するようにしたことを特徴とする。
【００１４】
かかる構成により、ブレスレットを手首に装着した際に、押え部が一方の連結体を押えて、手首に密着させることができて、ブレスレットが手首に密着し、止め具（一方の連結体と他方の連結体）の一体化に加えてブレスレットの外観が良好になって、見た目のスマートさが発揮される。
【００１５】
また、本発明に係るブレスレットは、上記した本発明に係るブレスレットにおいて、外側係止突起部及び内側係止突起部は、係止棹部の先端部に、当該係止棹部より大径の引っ掛かり部を形成して構成してあり、本体側係止部は、引っ掛かり部が挿入される挿入穴部と、この挿入穴部に連なる長穴形状であって係止棹部が挿入係止される係止穴部とで構成してあり、一方の連結体を挿入用開口部に挿入し、ブレスレット本体を押圧し圧縮して一方の連結体を移動させ、内側係止突起部の引っ掛かり部を挿入穴部に挿入し、押圧を解除することでブレスレット本体の圧縮反力で一方の連結体を引き戻して内側係止突起部の係止棹部を係止穴部に挿入係止し、且つ一方の連結体の戻りにより、外側係止突起部の係止棹部を係止溝部に係止するようにしたことを特徴とする。
【００１６】
かかる構成により、一方及び他方の連結体を開いた状態（一方及び他方の連結体を外方に回動した状態）でブレスレットを手首に通した後、一方及び他方の連結体を閉じるようにして、一方の連結体を挿入用開口部に挿入し、ブレスレット本体を押圧し圧縮して一方の連結体を移動させ、内側係止突起部の引っ掛かり部を挿入穴部に挿入し、押圧を解除することでブレスレット本体の圧縮反力で一方の連結体を引き戻して内側係止突起部の係止棹部を係止穴部に挿入係止し、且つ、一方の連結体の戻りにより、外側係止突起部の係止棹部を係止溝部に係止することでブレスレットを手首に装着することができるし、また、ブレスレット本体を、再び押圧し圧縮して一方の連結体を移動させ、内側係止突起部の係止棹部を係止穴部から挿入穴部に移動させて引っ掛かり部を挿入穴部から外して係止を解除し、且つ、外側係止突起部の係止溝部への係止を解除して、一方及び他方の連結体を開いて、一方の連結体を挿入用開口部から抜くことで、ブレスレットを手首から外すことができる。
【００１７】
このように、ブレスレットが手首に装着し易く、且つ取り外し易くなるし、また、手首に装着した後外れ難く紛失防止が確実になる。しかも、ブレスレットを手首に装着した際に、一方の連結体を挿入用開口部に挿入するようにして一方の連結体が他方の連結体に重なり合うようになって、止め具（一方の連結体と他方の連結体）がブレスレット本体と一体化するために、ブレスレットの外観が良好になって見た目のスマートさが発揮される。
【００１８】
また、本発明に係るブレスレットは、上記した本発明に係るブレスレットにおいて、ブレスレット本体は、短冊状の薄板を、手首に嵌るように側面視で略Ｃ字形状に湾曲してあり、一方の連結体は、ブレスレット本体と同じ材質の薄板を短冊状に形成し、その幅寸法をブレスレット本体と同じにしてあり、他方の連結体は、ブレスレット本体と同じ材質の薄板を短冊状に形成し、その幅寸法をブレスレット本体より大きくしてあり、且つ一方の連結体と他方の連結体とは、手首の表面に沿うように湾曲してあることを特徴とする。
【００１９】
かかる構成により、一方の連結体及び他方の連結体は、ブレスレット本体の延長上に、このブレスレット本体と一体化するようになるために、ブレスレットの形が崩れるのを防止することができる。このように、ブレスレットの形が崩れないために、この崩れを防止するため厚みのある板地金を必要とすることなく、ブレスレット本体の板地金を薄くして板地金の使用量を少なくすることができて、低コスト化が可能になる。
【発明の効果】
【００２０】
本発明に係るブレスレットによれば、その止め具が一方の連結体と他方の連結体とで構成してあり、止め具が三折れ金具で構成してある従来のブレスレットに比べて特別加工製作をする必要がない。このために、ブレスレットの低コスト化が可能になる。
【００２１】
また、ブレスレットが手首に装着し易く、且つ取り外し易くなるし、また、手首に装着した後外れ難く紛失防止が確実になる。しかも、ブレスレットを手首に装着した際に、一方の連結体を挿入用開口部に挿入するようにして一方の連結体が他方の連結体に重なり合うようになって、止め具（一方の連結体と他方の連結体）がブレスレット本体と一体化するために、ブレスレットの外観が良好になって、見た目のスマートさが発揮される。
【００２２】
しかも、ブレスレットの形が崩れないために、この崩れを防止するため厚みのある板地金を必要とすることなく、ブレスレット本体の板地金を薄くして板地金の使用量を少なくすることができて、低コスト化が可能になる。
【発明を実施するための最良の形態】
【００２３】
以下、本発明に係るブレスレットの実施形態について説明する。
【００２４】
図１は本発明に係るブレスレットの手首装着時の平面図、図２は同ブレスレットの斜視図、図３は同ブレスレットにおいて、止め具（一方及び他方の連結体）を開いた状態の斜視図である。
【００２５】
図１乃至図３において、符号１はブレスレットを示している。このブレスレット１は、所定長さのブレスレット本体２の一端部にヒンジ部材３を介して一方の連結体４を連結すると共に、ブレスレット本体２の他端部にヒンジ部材１２を介して他方の連結体５を連結し、一方の連結体４を他方の連結体５及びブレスレット本体２に連結することによって環状に構成されるものである。
【００２６】
ブレスレット本体２は、短冊状の薄板を、人の手首に嵌るように側面視で略Ｃ字形状に湾曲形成したものであり、薄板としては地金板を使用している。ブレスレット本体２の一端部は一方のヒンジ取付部６にしてあり、ブレスレット本体２の他端部は他方のヒンジ取付部７にしてあって、ブレスレット本体２には、その他方のヒンジ取付部７側に近づけて且つブレスレット本体２の幅方向の中央に位置させて本体側係止部８が形成してある。この本体側係止部８は、図８に示すように、挿入穴部８Ａとこの挿入穴部８Ａに連なる長穴形状の係止穴部８Ｂとで構成してあり、挿入穴部８Ａ側が他方のヒンジ取付部７より遠のく側に配置してある。
【００２７】
ブレスレット本体２の一端部には、図３に示すように、一方のヒンジ部材３が、その取付片部３Ａを一方のヒンジ取付部６に溶着することで取付けてあり、ブレスレット本体２の他端部には、他方のヒンジ部材１２が、その取付片部（図示せず）を他方のヒンジ取付部７に溶着することで取付けてある。
【００２８】
一方の連結体４は、図４に示すように、ブレスレット本体２と同じ材質の薄板を短冊状に形成し、その幅寸法をブレスレット本体２と同じにしてあり、この一方の連結体４は、人の腕の表面に沿うように湾曲してあって、その基端部４ａ側の外面部には外方（ブレスレット本体２の中心側とは反対側方向）に向けて外側係止突起部９が突設してある。また、一方の連結体４の先端部４ｂの両角部は円弧状にしてあって、この先端部４ｂ側の内面部には内方（ブレスレット本体２の中心側方向）に向けて内側係止突起部１０が突設してある。
【００２９】
これらの外側係止突起部９及び内側係止突起部１０は、いずれも、図５に示すように、係止棹部１１Ａの先端部に、この係止棹部１１Ａより大径の引っ掛かり部１１Ｂを形成して構成してある。
【００３０】
そして、一方の連結体４は、その基端部４ａ側の内面部を、一方のヒンジ部材３の取付片部３Ｂに溶着することで、ブレスレット本体２の一端部に連結してある。したがって、一方の連結体４は、一方のヒンジ部材３の回動中心３Ｃを支点にして外方及び内方に回動できるようになっている。
【００３１】
他方の連結体５は、図６及び図７に示すように、ブレスレット本体２と同じ材質の薄板を短冊状に形成し、その幅寸法をブレスレット本体２より大きくしてあり、この他方の連結体５は、人の腕の表面に沿うように湾曲してあって、他方の連結体５には挿入用開口部１３が形成してある。
【００３２】
この挿入用開口部１３は略四角形であり、この挿入用開口部１３の他方の連結体５の基端部５ａ側とは反対側の辺部１３ａには長方形状の切欠き部１４が形成してあって、この切欠き部１４の形成により辺部１３ａの両側には、当該辺部１３ａの残部からなる押え部１５が形成してある。そして、切欠き部１４の中央には係止溝部１６が形成してある。
【００３３】
そして、他方の連結体５は、その基端部５ａ側の内面部を、他方のヒンジ部材１２の取付片部１２Ｂに溶着することで、ブレスレット本体２の他端部に連結してある。したがって、他方の連結体５は、他方のヒンジ部材１２の回動中心１２Ｃを支点にして外方及び内方に回動できるようになっている。
【００３４】
次に、ブレスレット１を、使用者が手首に装着する動作及び取り外す動作について説明する。
【００３５】
まず、ブレスレット１を使用者が手首に装着する場合には、図３に示すように、一方及び他方の連結体４、５を開いた状態（一方及び他方の連結体４、５を外方に回動した状態）でブレスレット１を一方の手の手首に通した後、一方及び他方の連結体４、５を閉じるようにして、一方の連結体４を他方の連結体５の挿入用開口部１３に挿入し、ブレスレット本体２を他方の手の指で挟み押すことで、当該ブレスレット本体２を圧縮して一方の連結体４を移動させ、この一方の連結体４に設けた内側係止突起部１０の引っ掛かり部１１Ｂをブレスレット本体２の本体側係止部８の挿入穴部８Ａに挿入する。
【００３６】
次に、ブレスレット本体２の他方の手の指での押圧を解除することで、当該ブレスレット本体２の圧縮を解除し、このブレスレット本体２の圧縮反力が一方の連結体４を引き戻して内側係止突起部１０の係止棹部１１Ａが本体側係止部８の係止穴部８Ｂに挿入される。
【００３７】
そして、一方の連結体４の戻りにより、内側係止突起部１０の係止棹部１１Ａが本体側係止部８の係止穴部８Ｂの端部に達すると、外側係止突起部９の係止棹部１１Ａが係止溝部１６に係止してロック状態となり、更に、挿入用開口部１３の辺部１３Ａの両側の押え部１５が一方の連結体４を押え、ブレスレット１が手首に装着される。
【００３８】
また、ブレスレット１を使用者が手首から取り外す場合には、ブレスレット本体２を、再び押圧し圧縮して一方の連結体４を移動させ、内側係止突起部１０の係止棹部１１Ａを係止穴部８Ｂから挿入穴部８Ａに移動させて引っ掛かり部１１Ｂを挿入穴部８Ａから外して係止を解除し、且つ、外側係止突起部９の係止溝部１６への係止を解除して、一方及び他方の連結体４、５を開いて、一方の連結体４を挿入用開口部１３から抜くことで、ブレスレット１を手首から外す。
【００３９】
以上説明したように、本発明の実施の形態によれば、ブレスレット１の止め具が一方の連結体４と他方の連結体５とで構成してあり、止め具が三折れ金具で構成してある従来のブレスレットに比べて特別加工製作をする必要がない。このために、ブレスレットの低コスト化が可能になる。しかも、ブレスレット１が手首に装着し易く、且つ取り外し易くなるし、また、手首に装着した後外れ難く紛失防止が確実になる。
【００４０】
また、本発明の実施の形態によれば、ブレスレット１を手首に装着した際に、一方の連結体４を挿入用開口部１３に挿入するようにして一方の連結体４が他方の連結体５に重なり合うようになって、止め具（一方の連結体４と他方の連結体５）がブレスレット本体２と一体化するし、また、押え部１５が一方の連結体４を押えて、手首に密着させることができて、ブレスレット１が手首に密着し、止め具（一方の連結体４と他方の連結体５）の一体化に加えてブレスレット１の外観が良好になって見た目のスマートさが発揮される。
【００４１】
また、本発明の実施の形態によれば、一方の連結体４及び他方の連結体５は、ブレスレット本体２の延長上に、このブレスレット本体２と一体化するようになるために、ブレスレット１の形が崩れるのを防止することができる。このように、ブレスレット１の形が崩れないために、この崩れを防止するため厚みのある板地金を必要とすることなく、ブレスレット本体２の板地金を薄くして板地金の使用量を少なくすることができて、低コスト化が可能になる。
【産業上の利用可能性】
【００４２】
本発明に係るブレスレットによれば、ブレスレットが手首に装着し易く、且つ取り外し易くなるし、また、手首に装着した後外れ難く紛失防止が確実になる。しかも、ブレスレットを手首に装着した際に、一方の連結体を挿入用開口部に挿入するようにして一方の連結体が他方の連結体に重なり合うようになって、止め具（一方の連結体と他方の連結体）がブレスレット本体と一体化するために、ブレスレットの外観が良好になって、見た目のスマートさが発揮される。また、ブレスレットの形の崩れを防止するため厚みのある板地金を必要とすることなく、ブレスレット本体の板地金を薄くして板地金の使用量を少なくすることができて、低コスト化が可能になるという効果を有しており、ブレスレット等の装飾具に有用である。
【図面の簡単な説明】
【００４３】
【図１】本発明に係るブレスレットの手首装着時の平面図である。
【図２】同ブレスレットの斜視図である。
【図３】同ブレスレットにおいて、止め具（一方及び他方の連結体）を開いた状態の斜視図である。
【図４】一方の連結体の平面図である。
【図５】一方の連結体の側面図である。
【図６】他方の連結体の平面図である。
【図７】他方の連結体の側面図である。
【図８】本体側係止部の説明図である。
【図９】従来のブレスレットにおいて、止め具である三折れ金具を開いた状態の斜視図である。
【図１０】従来のブレスレットにおいて、三折れ金具を閉じた状態の斜視図である。
【符号の説明】
【００４４】
１      ブレスレット
２      ブレスレット本体
３      ヒンジ部材
４      一方の連結体
４ａ    基端部
４ｂ    先端部
５      他方の連結体
５ａ    基端部
８      本体側係止部
８Ａ    挿入穴部
８Ｂ    係止穴部
９    外側係止突起部
１０    内側係止突起部
１１Ａ  係止棹部
１１Ｂ  引っ掛かり部
１２    ヒンジ部材
１３    挿入用開口部
１３ａ  辺部
１４    切欠き部
１５    押え部
１６    係止溝部
【図１】
2007044181.tif 000003
【図２】
2007044181.tif 000004
【図３】
2007044181.tif 000005
【図４】
2007044181.tif 000006
【図５】
2007044181.tif 000007
【図６】
2007044181.tif 000008
【図７】
2007044181.tif 000009
【図８】
2007044181.tif 000010
【図９】
2007044181.tif 000011
【図１０】
2007044181.tif 000012